(57)【要約】外部と電気的に接続するコネクタ部材と、基板と、コネクタ部材と基板とを電気的に接続するフレキシブルな接続部材と、基板が収納され、コネクタ部材が取り付けられる筐体とを備える、電子機器が、提供される。【選択図】図２
2018116563.tif 000002
【特許請求の範囲】
【請求項１】
外部と電気的に接続するコネクタ部材と、
基板と、
前記コネクタ部材と前記基板とを電気的に接続するフレキシブルな接続部材と、
前記基板が収納され、前記コネクタ部材が取り付けられる筐体と、
を備える、電子機器。
【請求項２】
前記基板は、ＣＯＢ（Chip  On  Board）である、請求項１に記載の電子機器。
【請求項３】
前記基板は、ＰＣＢ（Printed  Circuit  Board）である、請求項１に記載の電子機器。
【請求項４】
前記フレキシブルな接続部材は、ＦＰＣ（Flexible  Printed  Circuits）である、請求項１に記載の電子機器。
【請求項５】
前記フレキシブルな接続部材は、フレキシブルな線材である、請求項１に記載の電子機器。
【請求項６】
前記コネクタ部材および前記基板それぞれは、前記フレキシブルな接続部材に直接的に接続される、請求項１に記載の電子機器。
【請求項７】
前記コネクタ部材は、前記フレキシブルな接続部材に直接的に接続され、
前記基板は、前記フレキシブルな接続部材に間接的に接続される、請求項１に記載の電子機器。
【請求項８】
前記コネクタ部材が前記コネクタ部材の挿抜方向に対して水平方向と垂直方向との一方または双方に動くように、前記コネクタ部材を支持する支持機構をさらに備え、
前記コネクタ部材は、前記支持機構により前記筐体に取り付けられる、請求項１に記載の電子機器。
【請求項９】
前記支持機構は、前記筐体からの前記コネクタ部材の脱落を防止する脱落防止機構として機能する、請求項８に記載の電子機器。
【請求項１０】
前記支持機構は、
前記コネクタ部材を、前記水平方向または前記垂直方向に回動させる機構と、
前記筐体と前記コネクタ部材との間に配置され、前記コネクタ部材にかかる外力を緩和する緩和部材と、
を含む、請求項８に記載の電子機器。
【請求項１１】
前記コネクタ部材は、オス型コネクタである、請求項１に記載の電子機器。
【請求項１２】
前記コネクタ部材は、メス型コネクタである、請求項１に記載の電子機器。
【請求項１３】
外部と電気的に接続する第１のコネクタ部材と、
外部と電気的に接続する第２のコネクタ部材と、
前記第１のコネクタ部材と前記第２のコネクタ部材とを電気的に接続するフレキシブルな接続部材と、
を備える、コネクタ。
【請求項１４】
外部と電気的に接続するコネクタ部材と、
前記コネクタ部材と電子部品とを電気的に接続するフレキシブルな接続部材と、
を備える、コネクタ。
【発明の詳細な説明】
【技術分野】
【０００１】
本開示は、電子機器、およびコネクタに関する。
【背景技術】
【０００２】
電子機器に設けられるコネクタに関する技術が開発されている。上記技術としては、例えば下記の特許文献１に記載の技術が挙げられる。
【先行技術文献】
【特許文献】
【０００３】
【特許文献１】特開２０１６−９１９２３号公報
【発明の概要】
【発明が解決しようとする課題】
【０００４】
電子機器間のデータ伝送速度の高速化や、電子機器の小型化が進むにつれて、例えばＵＳＢ（Universal  Serial  Bus）  ＴｙｐｅＣなどの新たな接続インタフェースが登場しており、既存のコネクタに比べて、コネクタの高機能化および小型化が進んでいる。【０００５】
ここで、例えば特許文献１に記載のコネクタのように、既存のコネクタは、コネクタ部材と基板とが、ハンダで電気的に接合される。【０００６】
しかしながら、上記のようにコネクタの小型化が進むにつれて、既存のコネクタのようにコネクタ部材と基板とをハンダで接合する場合には、基板にコネクタ部材を固定するための接合強度を確保することが困難となっている。また、基板にコネクタ部材を固定するための接合強度を確保することができない場合には、コネクタの信頼度の低下へと繋がる恐れがある。【０００７】
本開示では、信頼性の向上を図ることが可能な、新規かつ改良された電子機器、およびコネクタを提案する。
【課題を解決するための手段】
【０００８】
本開示によれば、外部と電気的に接続するコネクタ部材と、基板と、上記コネクタ部材と上記基板とを電気的に接続するフレキシブルな接続部材と、上記基板が収納され、上記コネクタ部材が取り付けられる筐体と、を備える、電子機器が、提供される。【０００９】
また、本開示によれば、外部と電気的に接続する第１のコネクタ部材と、外部と電気的に接続する第２のコネクタ部材と、上記第１のコネクタ部材と上記第２のコネクタ部材とを電気的に接続するフレキシブルな接続部材と、を備える、コネクタが、提供される。
【発明の効果】
【００１０】
本開示によれば、信頼性の向上を図ることができる。【００１１】
なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１２】
【図１】既存の電子機器の構成の一例を示す説明図である。
【図２】第１の実施形態に係る電子機器の構成の一例を示す説明図である。
【図３】第２の実施形態に係る電子機器の構成の一例を示す説明図である。
【図４】第３の実施形態に係る電子機器の構成の一例を示す説明図である。
【図５】第３の実施形態に係るコネクタの構成の一例を示す説明図である。
【図６】第３の実施形態に係るコネクタが用いられる電子機器の構成の一例を示す説明図である。
【図７】第４の実施形態に係る電子機器の構成の一例を示す説明図である。
【図８】第４の実施形態に係るコネクタの構成の一例を示す説明図である。
【図９】第４の実施形態に係るコネクタが用いられる電子機器の構成の一例を示す説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、以下において、“一の構成要素と他の構成要素とを接続する”とは、“当該一の構成要素と当該他の構成要素とが、さらなる他の構成要素を介さずに、電気的に接続されていること”、または、“当該一の構成要素と当該他の構成要素とが、さらなる他の構成要素を介して、電気的に接続されていること”をいう。
【００１５】
また、以下では、下記に示す順序で説明を行う。
１．本実施形態に係る電子機器、コネクタの構成の概要
２．第１の実施形態に係る電子機器、コネクタ
３．第２の実施形態に係る電子機器、コネクタ
４．第３の実施形態に係る電子機器、コネクタ
５．第４の実施形態に係る電子機器、コネクタ
６．本実施形態に係る電子機器、コネクタにおいて奏される効果の一例
７．本実施形態に係る電子機器、コネクタの適用例
【００１６】
［１］本実施形態に係る電子機器、コネクタの構成の概要
複数の電子機器間を有線で電気的に接続する方法としては、例えば、“両端にコネクタを有する接続用のケーブルを、双方の電子機器が有するコネクタに接続する方法”と、“双方の電子機器が有するコネクタを直接的に接続する方法”という２種類の方法が、挙げられる。“双方の電子機器が有するコネクタを直接的に接続する方法”が用いられる場合、例えば、一方の電子機器が有するコネクタはオス型コネクタであり、他方の電子機器が有するコネクタはメス型コネクタである。
【００１７】
本実施形態に係る電子機器、コネクタは、上記２種類の方法による有線接続に適用されうる。
【００１８】
［１−１］既存の電子機器において生じうる問題の一例
上述したように、コネクタの小型化が進むにつれて、コネクタ部材と基板とをハンダで接合する場合には、基板にコネクタ部材を固定するための接合強度を確保することが困難となっている。また、基板にコネクタ部材を固定するための接合強度を確保することができない場合には、コネクタの信頼度の低下へと繋がる恐れがある。
【００１９】
本実施形態に係る電子機器、コネクタの構成の概要について説明する前に、既存の電子機器において生じうる問題の一例について、既存の電子機器の構成の一例を挙げて説明する。
【００２０】
図１は、既存の電子機器１０の構成の一例を示す説明図である。図１は、電子機器１０がＵＳＢメモリである場合における構成の一例を示している。
【００２１】
電子機器１０は、例えば、コネクタ部材１２と、基板１４と、ハンダ１６と、支持部材１８と、筐体２０と、接着剤２２と、Ｕ３コネクタ２４と、ハンダ２６とを備える。
【００２２】
コネクタ部材１２は、外部と電気的に接続する部材である。電子機器１０がＵＳＢメモリである場合、コネクタ部材１２としては、例えば、ＵＳＢ  ＴｙｐｅＣに対応するコネクタ部材が、挙げられる。
【００２３】
基板１４には、プロセッサなどの様々な部材が実装される。基板１４では、例えば、記録媒体（図示せず）からのデータの読み出しや記録媒体（図示せず）へのデータの書き込みなどの、電子機器１０が有する機能に係る様々な処理が行われる。基板１４としては、例えばＣＯＢ（Chip  On  Board）が、挙げられる。
【００２４】
ハンダ１６は、コネクタ部材１２と基板１４とを接合し、コネクタ部材１２と基板１４とを電気的に接続する。
【００２５】
支持部材１８は、例えばコネクタ部材１２と基板１４とが接合された部材を、支持する。支持部材１８としては、例えば、プラスチックホルダなどの樹脂部材が、挙げられる。
【００２６】
筐体２０は、例えば金属で構成され、基板１４を収納する。また、筐体２０には、コネクタ部材１２に対応する寸法の開口部が形成され、当該開口部にコネクタ部材１２が配置される。
【００２７】
ここで、コネクタ部材１２がＵＳＢ  ＴｙｐｅＣに対応するコネクタ部材である場合、開口部の寸法は、ＵＳＢ  ＴｙｐｅＣコネクタの規格で定められた間口寸法である。また、図１において符号Ｃで示すように、筐体２０とコネクタ部材１２との間には、一定の隙間が設けれている。
【００２８】
接着剤２２は、支持部材１８と筐体２０とを接着する。支持部材１８と筐体２０とが接着剤２２により接着されることによって、コネクタ部材１２と基板１４とが接合された部材は、支持部材１８により機械的に保持され、かつ、筐体２０に固定される。
【００２９】
Ｕ３コネクタ２４は、例えば、ＵＳＢ３．ｘ規格に対応するパターンが設けられるコネクタ部材である。
【００３０】
ハンダ２６は、基板１４とＵ３コネクタ２４とを接合し、基板１４とＵ３コネクタ２４とを電気的に接続する。
【００３１】
電子機器１０は、例えば図１に示す構成を有する。
【００３２】
ここで、基板１４にハンダ１６で接合されたコネクタ部材１２は、基板１４表面のハンダパッドにハンダ付けされている。また、基板１４がＣＯＢである場合、例えば、基板のスルーホールを利用した爪止めなどによって、コネクタ部材１２と基板１４とを保持することができない。
【００３３】
電子機器１０の小型化が進む程、基板１４表面のハンダパッドを小さくしなければならなくなる可能性が高まる。そのため、電子機器１０の小型化が進む程、電子機器１０では、コネクタ部材１２と基板１４とをハンダ１６で接合する接合部分における、こじり方向（中心線に直交する方向）およびコネクタ部材１２の挿抜方向（図１における左右方向）にかかる外力に対して、強度的に限界がある。つまり、電子機器１０の小型化が進む程、基板１４にコネクタ部材１２を固定するための接合強度を確保することが困難となる。
【００３４】
また、基板１４にコネクタ部材１２を固定するための接合強度を確保することができない場合には、“電子機器１０における外部との電気的な接続に係る構成”の信頼度の低下へと繋がる恐れが、ある。
【００３５】
［１−２］本実施形態に係る電子機器の構成の概要
まず、本実施形態に係る電子機器の構成の概要について説明する。
【００３６】
本実施形態に係る電子機器は、コネクタ部材と基板とを、フレキシブルな接続部材によって、電気的に接続する。本実施形態に係る電子機器では、基板は筐体に収納され、また、コネクタ部材は筐体に取り付けられる。
【００３７】
本実施形態に係るコネクタ部材は、外部と電気的に接続する部材である。
【００３８】
本実施形態に係るコネクタ部材としては、例えば、ＵＳＢ規格に対応するコネクタ部材や、ＩＥＥＥ１３９４規格に対応するコネクタ部材、ＬＡＮ（Local  Area  Network）規格に対応するコネクタ部材、ＨＤＭＩ（High-Definition  Multimedia  Interface）（登録商標）規格に対応するコネクタ部材など、同種の電子機器間または異種の電子機器間を接続することが可能な、任意のコネクタ部材が、挙げられる。
【００３９】
また、本実施形態に係るコネクタ部材は、オス型コネクタであってもよいし、メス型コネクタであってもよい。
【００４０】
本実施形態に係る基板には、プロセッサなどの様々な部材が実装され、本実施形態に係る電子機器が有する機能に係る様々な処理を行う。
【００４１】
本実施形態に係る基板としては、例えば、ＣＯＢと、ＰＣＢ（Printed  Circuit  Board）とが挙げられる。
【００４２】
本実施形態に係るフレキシブルな接続部材は、柔軟性を有し、本実施形態に係るコネクタ部材と本実施形態に係る基板とを電気的に接続する部材である。
【００４３】
本実施形態に係るフレキシブルな接続部材としては、例えば、ＦＰＣ（Flexible  Printed  Circuits）と、フレキシブルな線材とが、挙げられる。
【００４４】
本実施形態に係るコネクタ部材および本実施形態に係る基板それぞれは、例えば、本実施形態に係るフレキシブルな接続部材に直接的に接続されることによって、電気的に接続される。
【００４５】
また、例えば、本実施形態に係るコネクタ部材は、本実施形態に係るフレキシブルな接続部材に直接的に接続され、本実施形態に係る基板は、フレキシブルな接続部材に間接的に接続されることによって、電気的に接続されてもよい。ここで、フレキシブルな接続部材に間接的に接続されるとは、他の部材を介して、フレキシブルな接続部材に電気的に接続されることをいう。
【００４６】
また、例えば、本実施形態に係るコネクタ部材は、本実施形態に係るフレキシブルな接続部材に間接的に接続され、本実施形態に係る基板は、フレキシブルな接続部材に直接的に接続されることによって、電気的に接続されてもよい。
【００４７】
さらに、本実施形態に係るコネクタ部材および本実施形態に係る基板それぞれは、例えば、本実施形態に係るフレキシブルな接続部材に間接的に接続されることによって、電気的に接続されてもよい。
【００４８】
本実施形態に係るコネクタ部材と本実施形態に係る基板とは、上記のように、“本実施形態に係るコネクタ部材および本実施形態に係る基板それぞれが、本実施形態に係るフレキシブルな接続部材と直接的に接続されること”、または、“本実施形態に係るコネクタ部材と本実施形態に係る基板との一方または双方が、本実施形態に係るフレキシブルな接続部材と間接的に接続されること”によって、電気的に接続される。
【００４９】
上記のように、本実施形態に係る電子機器は、本実施形態に係るフレキシブルな接続部材によって、本実施形態に係るコネクタ部材と本実施形態に係る基板とが、電気的に接続される。つまり、本実施形態に係る電子機器では、本実施形態に係るコネクタ部材と本実施形態に係る基板とは、図１に示す電子機器１０のようにコネクタ部材と基板とがハンダ付けなどにより直接接合されるのではなく、本実施形態に係るフレキシブルな接続部材を介して、電気的に接続される。
【００５０】
よって、本実施形態に係る電子機器では、仮に、本実施形態に係るコネクタ部材に対して外力が加わったとしても、本実施形態に係るフレキシブルな接続部材が有する柔軟性によって、本実施形態に係るコネクタ部材と本実施形態に係る基板との電気的な接続に対する当該外力の影響は、小さくなる。つまり、本実施形態に係る電子機器では、“本実施形態に係るコネクタ部材と本実施形態に係るフレキシブルな接続部材とを接合する接合部分”、および、“本実施形態に係るフレキシブルな接続部材と本実施形態に係る基板とを接合する接合部分”における、こじり方向および本実施形態に係るコネクタ部材の挿抜方向にかかる外力に対する強度が、確保される。
【００５１】
また、上記のように外力に対する強度が確保されることによって、本実施形態に係る電子機器では、“本実施形態に係る電子機器における外部との電気的な接続に係る構成”の信頼度が低下してしまうことが、防止される。
【００５２】
したがって、本実施形態に係る電子機器は、本実施形態に係る電子機器の信頼性の向上を図ることができる。
【００５３】
なお、本実施形態に係る電子機器の構成は、上記に示す例に限られない。
【００５４】
例えば、本実施形態に係る電子機器は、本実施形態に係るコネクタ部材を支持する支持機構をさらに備え、本実施形態に係るコネクタ部材は、当該支持機構により筐体に取り付けられてもよい。
【００５５】
本実施形態に係る支持機構とは、本実施形態に係るコネクタ部材が当該コネクタ部材の挿抜方向に対して水平方向と垂直方向との一方または双方に動くように、当該コネクタ部材を支持する機構である。また、本実施形態に係る支持機構は、筐体からの本実施形態に係るコネクタ部材の脱落を防止する脱落防止機構として機能してもよい。
【００５６】
また、本実施形態に係る電子機器は、例えば、後述する本実施形態に係る電子機器の適用例に応じた構成をとることが可能である。
【００５７】
本実施形態に係る支持機構の構成の一例を含め、本実施形態に係る電子機器の構成の一例については、後述する各実施形態において示す。
【００５８】
［１−３］本実施形態に係るコネクタの構成の概要
次に、本実施形態に係るコネクタの構成の概要について説明する。
【００５９】
本実施形態に係るコネクタは、第１のコネクタ部材と、第２のコネクタ部材とを、フレキシブルな接続部材によって、電気的に接続する。
【００６０】
本実施形態に係る第１のコネクタ部材は、本実施形態に係るコネクタが備える一のコネクタ部材であり、外部と電気的に接続する役目を果たす。
【００６１】
本実施形態に係る第１のコネクタ部材としては、例えば、ＵＳＢ規格に対応するコネクタ部材や、ＩＥＥＥ１３９４規格に対応するコネクタ部材、ＬＡＮ規格に対応するコネクタ部材、ＨＤＭＩ（登録商標）規格に対応するコネクタ部材など、同種の電子機器間または異種の電子機器間を接続することが可能な、任意のコネクタ部材が、挙げられる。つまり、本実施形態に係るコネクタにおける本実施形態に係る第１のコネクタ部材は、上述した本実施形態に係る電子機器における本実施形態に係るコネクタ部材に、該当する。
【００６２】
本実施形態に係る第２のコネクタ部材は、本実施形態に係るコネクタが備える他のコネクタ部材であり、外部と電気的に接続する役目を果たす。
【００６３】
本実施形態に係る第２のコネクタ部材としては、例えば、本実施形態に係る基板と電気的に接続するための、任意の形状のコネクタ部材が、挙げられる。
【００６４】
なお、本実施形態に係る第２のコネクタ部材は、上記に示す例に限られない。例えば、本実施形態に係る第２のコネクタ部材は、“上述した本実施形態に係る電子機器における本実施形態に係るコネクタ部材に該当するコネクタ部材”であってもよい。
【００６５】
以下では、本実施形態に係る第２のコネクタ部材が、本実施形態に係る基板と電気的に接続するためのコネクタ部材である場合を、例に挙げる。
【００６６】
本実施形態に係るコネクタでは、本実施形態に係るフレキシブルな接続部材によって、本実施形態に係る第１のコネクタ部材と本実施形態に係る第２のコネクタ部材とが、電気的に接続される。
【００６７】
本実施形態に係るコネクタが用いられる場合、本実施形態に係る第１のコネクタ部材と本実施形態に係る基板とは、図１に示す電子機器１０のようにコネクタ部材と基板とがハンダ付けなどにより直接接合されるのではなく、本実施形態に係るフレキシブルな接続部材および本実施形態に係る第２のコネクタ部材を介して、電気的に接続される。
【００６８】
よって、本実施形態に係るコネクタが用いられる場合、仮に、本実施形態に係る第１のコネクタ部材に対して外力が加わったとしても、本実施形態に係るフレキシブルな接続部材が有する柔軟性によって、本実施形態に係る第１のコネクタ部材と本実施形態に係る第２のコネクタ部材との電気的な接続に対する当該外力の影響は、小さくなる。また、本実施形態に係る第１のコネクタ部材と本実施形態に係る第２のコネクタ部材との電気的な接続に対する外力の影響が小さくなることによって、本実施形態に係る第１のコネクタ部材と本実施形態に係る基板との電気的な接続に対する外力の影響も、小さくなる。
【００６９】
つまり、本実施形態に係るコネクタが用いられる場合には、“本実施形態に係る第１のコネクタ部材と本実施形態に係るフレキシブルな接続部材とを接合する接合部分”、および、“本実施形態に係るフレキシブルな接続部材と本実施形態に係る第２のコネクタ部材とを接合する接合部分”における、こじり方向および本実施形態に係る第１のコネクタ部材の挿抜方向にかかる外力に対する強度が、確保される。
【００７０】
また、上記のように外力に対する強度が確保されることによって、本実施形態に係るコネクタでは、“本実施形態に係るコネクタにおける外部との電気的な接続に係る構成”の信頼度が低下してしまうことが、防止される。
【００７１】
したがって、本実施形態に係るコネクタは、本実施形態に係るコネクタの信頼性、または、本実施形態に係るコネクタが用いられる電子機器の信頼性の向上を図ることが、できる。
【００７２】
本実施形態に係るコネクタの構成の一例については、後述する各実施形態において示す。
【００７３】
以下、上述した本実施形態に係る電子機器の構成の一例、および上述した本実施形態に係るコネクタの構成の一例について、説明する。なお、本実施形態に係る電子機器の構成の例と、本実施形態に係るコネクタの構成の例とが、下記に示す実施形態に係る構成に限られないことは、言うまでもない。例えば、本実施形態に係る電子機器は、後述する本実施形態に係る電子機器の適用例に応じた構成をとることが可能である。
【００７４】
［２］第１の実施形態に係る電子機器、コネクタ
［２−１］第１の実施形態に係る電子機器
図２は、第１の実施形態に係る電子機器１００の構成の一例を示す説明図である。図２は、電子機器１００がＵＳＢメモリである場合における構成の一例を示している。
【００７５】
電子機器１００は、例えば、コネクタ部材１０２と、ＣＯＢ１０４と、フレキシブルな接続部材１０６と、支持部材１０８と、筐体１１０と、接着剤１１２と、溶接個所１１４と、Ｕ３コネクタ１１６と、ハンダ１１８とを備える。
【００７６】
コネクタ部材１０２は、外部と電気的に接続する部材であり、上述した本実施形態に係るコネクタ部材に該当する。電子機器１００がＵＳＢメモリである場合、コネクタ部材１０２としては、例えば、ＵＳＢ  ＴｙｐｅＣに対応するコネクタ部材などが、挙げられる。
【００７７】
ＣＯＢ１０４は、ワイヤ・ボンディングまたはフリップチップボンディングなどによって、プロセッサなどの様々な部材が実装された回路基板である。ＣＯＢ１０４は、本実施形態に係る基板の一例に該当する。ＣＯＢ１０４では、例えば、記録媒体（図示せず）からのデータの読み出しや記録媒体（図示せず）へのデータの書き込みなどの、電子機器１００が有する機能に係る様々な処理が行われる。
【００７８】
フレキシブルな接続部材１０６は、コネクタ部材１０２とＣＯＢ１０４とを電気的に接続する。フレキシブルな接続部材１０６は、上述した本実施形態に係るフレキシブルな接続部材に該当する。
【００７９】
図２では、フレキシブルな接続部材１０６の一端が、コネクタ部材１０２に電気的に接続され、フレキシブルな接続部材１０６の他端が、ＣＯＢ１０４に電気的に接続されているＵ３コネクタ１１６に、電気的に接続されている例を示している。つまり、図２では、コネクタ部材１０２とＣＯＢ１０４とが、Ｕ３コネクタ１１６などの、フレキシブルな接続部材１０６以外の他の構成要素を介して電気的に接続されている例を示している。
【００８０】
なお、第１の実施形態に係る電子機器の構成は、図２に示す例に限られない。例えば、第１の実施形態に係る電子機器は、フレキシブルな接続部材１０６の一端が、コネクタ部材１０２に電気的に接続され、フレキシブルな接続部材１０６の他端が、ＣＯＢ１０４に電気的に接続される構成であってもよい。つまり、第１の実施形態に係る電子機器は、コネクタ部材１０２とＣＯＢ１０４とが、フレキシブルな接続部材１０６のみにより電気的に接続される構成をとることも、可能である。
【００８１】
支持部材１０８は、ＣＯＢ１０４を支持する。支持部材１０８としては、例えば、プラスチックホルダなどの樹脂部材が、挙げられる。
【００８２】
筐体１１０は、例えば金属で構成され、ＣＯＢ１０４を収納する。また、筐体１１０には、コネクタ部材１０２に対応する寸法の開口部が形成され、当該開口部にコネクタ部材１０２が取り付けられる。ここで、コネクタ部材１０２がＵＳＢ  ＴｙｐｅＣに対応するコネクタ部材である場合、開口部の寸法は、ＵＳＢ  ＴｙｐｅＣコネクタの規格で定められた間口寸法である。
【００８３】
筐体１１０は、例えば亜鉛などの金属を用いたダイカストにより、箱型などの所定の形状に形成される。例えばダイカストにより形成される筐体１１０は、一体形成され、分割はされない。
【００８４】
筐体１１０に取り付けられるコネクタ部材１０２は、例えば溶接個所１１４においてスポット溶接されることによって、筐体１１０に固定される。図２に示すように、コネクタ部材１０２が筐体１１０にスポット溶接により固定されることによって、電子機器１００では、筐体１１０とコネクタ部材１０２との機械的な強度が確保される。
【００８５】
接着剤１１２は、支持部材１０８と筐体１１００とを接着する。支持部材１０８と筐体１１０とが接着剤１１２により接着されることによって、ＣＯＢ１０４は、支持部材１０８により機械的に保持され、かつ、筐体１１０に固定される。
【００８６】
Ｕ３コネクタ１１６は、例えば、ＵＳＢ３．ｘ規格に対応するパターンが設けられるコネクタ部材である。
【００８７】
ハンダ１１８は、ＣＯＢ１０４とＵ３コネクタ１１６とを接合し、ＣＯＢ１０４とＵ３コネクタ１１６とを電気的に接続する。
【００８８】
第１の実施形態に係る電子機器１００は、例えば図２に示す構成を有する。
【００８９】
ここで、電子機器１００では、フレキシブルな接続部材１０６によって、コネクタ部材１０２とＣＯＢ１０４とが電気的に接続される。
【００９０】
したがって、第１の実施形態に係る電子機器１００は、電子機器１００の信頼性の向上を図ることができる。
【００９１】
また、電子機器１００では、筐体１１０とコネクタ部材１０２とが、溶接により強固に接合される。よって、電子機器１００では、図１に示す電子機器１０のような、コネクタ部材１２をハンダ１６で基板１４に固定していた構造よりも、飛躍的に強度を確保することができ、かつ、機械的な信頼性を確保することができる。
【００９２】
［２−２］第１の実施形態に係るコネクタ
第１の実施形態に係るコネクタは、例えば、第１のコネクタ部材と、フレキシブルな接続部材と、第２のコネクタ部材とを備える。
【００９３】
第１のコネクタ部材としては、例えば図２に示すコネクタ部材１０２が挙げられる。
【００９４】
また、フレキシブルな接続部材としては、例えば図２に示すフレキシブルな接続部材１０６が挙げられる。フレキシブルな接続部材の一端は、第１のコネクタ部材に電気的に接続され、フレキシブルな接続部材の他端は、第２のコネクタ部材に電気的に接続される。
【００９５】
第２のコネクタ部材は、例えば、ＣＯＢ１０４などの基板、または、基板に電気的に接続されているコネクタ部材と、電気的に接続するためのコネクタ部材である。第２のコネクタ部材の一例としては、後述するコネクタ部材４０２が挙げられる。
【００９６】
第１の実施形態に係るコネクタでは、フレキシブルな接続部材によって、第１のコネクタ部材と第２のコネクタ部材とが電気的に接続される。
【００９７】
したがって、第１の実施形態に係るコネクタは、第１の実施形態にコネクタの信頼性、または、第１の実施形態にコネクタが用いられる電子機器の信頼性の向上を図ることが、できる。
【００９８】
なお、第１の実施形態に係るコネクタは、上記に示す例に限られない。
【００９９】
例えば、第１の実施形態に係るコネクタは、コネクタ部材１０２と、フレキシブルな接続部材１０６とを備える構成であってもよい。
【０１００】
フレキシブルな接続部材１０６は、コネクタ部材１０２と電子部品とを電気的に接続する。
【０１０１】
コネクタ部材１０２とフレキシブルな接続部材１０６とは、直接的または間接的に接続される。また、フレキシブルな接続部材１０６が電気的に接続される電子部品としては、例えば、第１の実施形態に係るコネクタの外部のＣＯＢやＰＣＢなどの、第１の実施形態に係るコネクタの外部の基板や、第１の実施形態に係るコネクタの外部のＩＣ（Integrated  Circuit）などが、挙げられる。
【０１０２】
上記の構成であっても、第１の実施形態に係るコネクタは、第１の実施形態にコネクタの信頼性、または、第１の実施形態にコネクタが用いられる電子機器（上記外部の基板や上記外部のＩＣを有する電子機器）の信頼性の向上を図ることが、できる。
【０１０３】
［３］第２の実施形態に係る電子機器、コネクタ
［３−１］第２の実施形態に係る電子機器
図３は、第２の実施形態に係る電子機器２００の構成の一例を示す説明図である。図３は、電子機器２００がＵＳＢメモリである場合における構成の一例を示している。
【０１０４】
第２の実施形態に係る電子機器は、コネクタ部材を支持する本実施形態に係る支持機構を備える電子機器の第１の例である。より具体的には、第２の実施形態に係る電子機器は、“コネクタ部材を、コネクタ部材の挿抜方向に対して水平方向または垂直方向に回動させる機構”を、支持機構として備える電子機器の一例である。
【０１０５】
電子機器２００は、例えば、コネクタ部材２０２と、ＣＯＢ１０４と、フレキシブルな接続部材１０６と、支持部材２０４と、ピン２０６と、筐体１１０と、接着剤１１２と、緩和部材２０８と、Ｕ３コネクタ１１６と、ハンダ１１８とを備える。
【０１０６】
図３に示すＣＯＢ１０４、フレキシブルな接続部材１０６、筐体１１０、接着剤１１２、Ｕ３コネクタ１１６、およびハンダ１１８それぞれの構成と、当該構成要素それぞれと他の構成要素との電気的および機械的な接続関係は、図２に示す電子機器１００と同様である。
【０１０７】
コネクタ部材２０２は、外部と電気的に接続する部材であり、上述した本実施形態に係るコネクタ部材に該当する。電子機器２００がＵＳＢメモリである場合、コネクタ部材２０２としては、例えば、ＵＳＢ  ＴｙｐｅＣに対応するコネクタ部材などが、挙げられる。
【０１０８】
また、コネクタ部材２０２には、ピン２０６が機械的に接続可能な構成を有する。
【０１０９】
支持部材２０４は、ＣＯＢ１０４を支持する。支持部材２０４としては、例えば、プラスチックホルダなどの樹脂部材が、挙げられる。
【０１１０】
また、支持部材２０４には、ピン２０６が機械的に接続可能な構成を有する。
【０１１１】
ピン２０６は、支持部材２０４およびコネクタ部材２０２に機械的に接続される。
【０１１２】
ピン２０６が、支持部材２０４およびコネクタ部材２０２に機械的に接続されることによって、コネクタ部材２０２は、ピン２０６を介して回転自在に支持部材２０４に固定される。図３に示す例では、コネクタ部材２０２は、図３に示す上下方向に、ピン２０６を介して回転する。
【０１１３】
図３に示すように、支持部材２０４およびコネクタ部材２０２がピン２０６に機械的に接続されることによって、コネクタ部材２０２は、図３に示す上下方向に回動する。また、図３においてコネクタ部材２０２の挿抜方向とは、図３に示す左右方向である。つまり、図３に示す電子機器２００において、支持部材２０４およびコネクタ部材２０２がピン２０６に機械的に接続される構成が、“コネクタ部材を、コネクタ部材の挿抜方向に対して垂直方向に回動させる機構”に該当する。
【０１１４】
なお、第２の実施形態に係る電子機器の構成は、図３に示す例に限られない。例えば図３では、ピン２０６が、支持部材２０４およびコネクタ部材２０２に対して、図３における奥行方向に機械的に接続される例を示しているが、ピン２０６は、支持部材２０４およびコネクタ部材２０２に対して、図３における上下方向に機械的に接続されてもよい。
【０１１５】
ピン２０６が、支持部材２０４およびコネクタ部材２０２に対して、図３における上下方向に機械的に接続される場合、コネクタ部材２０２は、図３における奥行方向に回動する。つまり、ピン２０６が、支持部材２０４およびコネクタ部材２０２に対して、図３における上下方向に機械的に接続される場合、支持部材２０４およびコネクタ部材２０２がピン２０６に機械的に接続される構成は、“コネクタ部材を、コネクタ部材の挿抜方向に対して水平方向に回動させる機構”に該当する。
【０１１６】
緩和部材２０８は、筐体１１０とコネクタ部材２０２との間に配置され、コネクタ部材２０２にかかる外力を緩和する。緩和部材２０８としては、例えば、ゴムなどの、コネクタ部材２０２にかかる外力を緩和することが可能な任意の材料で形成される部材が、挙げられる。
【０１１７】
例えば緩和部材２０８によりコネクタ部材２０２が回動する方向に適切な圧力をかけることにより、図３に示す上下方向に回動したコネクタ部材２０２は、回動前の位置に戻る。
【０１１８】
第２の実施形態に係る電子機器２００は、例えば図３に示す構成を有する。
【０１１９】
ここで、電子機器２００では、図２に示す電子機器１００と同様に、フレキシブルな接続部材１０６によって、コネクタ部材１０２とＣＯＢ１０４とが電気的に接続される。
【０１２０】
したがって、第２の実施形態に係る電子機器２００は、電子機器２００の信頼性の向上を図ることができる。
【０１２１】
また、電子機器２００には、“コネクタ部材２０２を、コネクタ部材の挿抜方向に対して水平方向または垂直方向に回動させる機構”と、緩和部材２０８とが含まれる。よって、電子機器２００では、コネクタ部材２０２にかかる外力を逃がすことが可能であるので、図１に示す電子機器１０のような、コネクタ部材１２をハンダ１６で基板１４に固定していた構造よりも、外力に対する強度を確保することができる。
【０１２２】
［３−２］第２の実施形態に係るコネクタ
第２の実施形態に係るコネクタは、例えば、第１のコネクタ部材と、フレキシブルな接続部材と、第２のコネクタ部材とを備える。
【０１２３】
第１のコネクタ部材としては、例えば図３に示すコネクタ部材２０２が挙げられる。
【０１２４】
また、フレキシブルな接続部材としては、例えば図２に示すフレキシブルな接続部材１０６が挙げられる。フレキシブルな接続部材の一端は、第１のコネクタ部材に電気的に接続され、フレキシブルな接続部材の他端は、第２のコネクタ部材に電気的に接続される。
【０１２５】
第２のコネクタ部材は、例えば、ＣＯＢ１０４などの基板、または、基板に電気的に接続されているコネクタ部材と、電気的に接続するためのコネクタ部材である。第２のコネクタ部材の一例としては、後述するコネクタ部材４０２が挙げられる。
【０１２６】
第２の実施形態に係るコネクタでは、第１の実施形態に係るコネクタと同様に、フレキシブルな接続部材によって、第１のコネクタ部材と第２のコネクタ部材とが電気的に接続される。
【０１２７】
したがって、第２の実施形態に係るコネクタは、第２の実施形態にコネクタの信頼性、または、第２の実施形態にコネクタが用いられる電子機器の信頼性の向上を図ることが、できる。
【０１２８】
なお、第２の実施形態に係るコネクタは、上記に示す例に限られない。
【０１２９】
例えば、第２の実施形態に係るコネクタは、コネクタ部材２０２と、フレキシブルな接続部材１０６とを備える構成であってもよい。
【０１３０】
フレキシブルな接続部材１０６は、コネクタ部材２０２と電子部品とを電気的に接続する。
【０１３１】
コネクタ部材２０２とフレキシブルな接続部材１０６とは、直接的または間接的に接続される。また、フレキシブルな接続部材１０６が電気的に接続される電子部品としては、例えば、第２の実施形態に係るコネクタの外部の基板や、第２の実施形態に係るコネクタの外部のＩＣなどが、挙げられる。
【０１３２】
上記の構成であっても、第２の実施形態に係るコネクタは、第２の実施形態にコネクタの信頼性、または、第２の実施形態にコネクタが用いられる電子機器（上記外部の基板や上記外部のＩＣを有する電子機器）の信頼性の向上を図ることが、できる。
【０１３３】
［４］第３の実施形態に係る電子機器、コネクタ
［４−１］第３の実施形態に係る電子機器
図４は、第３の実施形態に係る電子機器３００の構成の一例を示す説明図である。図４は、電子機器２００が、ＵＳＢ規格に対応するリーダ／ライタなどのような、ＵＳＢ規格に対応する任意の電子機器である場合における構成の一例を示している。
【０１３４】
第３の実施形態に係る電子機器は、コネクタ部材を支持する本実施形態に係る支持機構を備える電子機器の第２の例である。より具体的には、第３の実施形態に係る電子機器は、筐体からのコネクタ部材の脱落を防止する脱落防止機構として機能する支持機構を、備える電子機器の一例である。
【０１３５】
電子機器３００は、例えば、コネクタ部材１０２と、ＰＣＢ３０２と、フレキシブルな接続部材１０６と、リング形状部材３０４と、溶接個所３０６と、第１の筐体３０８と、第２の筐体３１０と、緩和部材３１２とを備える。リング形状部材３０４、溶接個所３０６、および緩和部材３１２が、脱落防止機構として機能する支持機構に、該当する。
【０１３６】
コネクタ部材１０２は、図２に示すコネクタ部材１０２と同様に、外部と電気的に接続する部材である。
【０１３７】
ＰＣＢ３０２は、電子部品が実装されている回路基板である。ＰＣＢ３０２は、本実施形態に係る基板の一例に該当する。ＰＣＢ３０２では、例えば、ＮＦＣ（Near  Field  Communication）におけるリーダ／ライタとして機能するための処理など、電子機器３００が有する機能に係る様々な処理が行われる。
【０１３８】
フレキシブルな接続部材１０６は、コネクタ部材１０２とＰＣＢ３０２とを電気的に接続する。フレキシブルな接続部材１０６は、上述した本実施形態に係るフレキシブルな接続部材に該当する。
【０１３９】
図４では、フレキシブルな接続部材１０６の一端が、コネクタ部材１０２に電気的に接続され、フレキシブルな接続部材１０６の他端が、ＰＣＢ３０２に電気的に接続されている例を示している。
【０１４０】
なお、第３の実施形態に係る電子機器の構成は、図４に示す例に限られない。例えば、第３の実施形態に係る電子機器は、コネクタ部材１０２とＰＣ３０２とが、フレキシブルな接続部材１０６以外の他の構成要素を介して電気的に接続される構成であってもよい。
【０１４１】
リング形状部材３０４は、例えば、板金を円筒またはＣ型にプレス加工して形成された部材、または、金属の棒材から削り出されて形成された部材である。
【０１４２】
リング形状部材３０４は、例えば溶接個所３０６においてスポット溶接されることによって、コネクタ部材１０２に固定される。ここで、リング形状部材３０４とコネクタ部材１０２との溶接強度を保持する方法としては、例えば、リング形状部材３０４を、コネクタ部材１０２と同じ材質で形成することと、コネクタ部材１０２と同じ厚みで形成することとの、一方または双方が、挙げられる。
【０１４３】
緩和部材３１２は、例えば、リング形状部材３０４における断面がコの字型に形成された部分に、アウトサートで一体成型される。緩和部材３１２としては、例えば、ゴムなどの、コネクタ部材１０２にかかる外力を緩和することが可能な任意の材料で形成される部材が、挙げられる。
【０１４４】
緩和部材３１２が上記のようにアウトサートで一体成型されることによって、コネクタ部材１０２、リング形状部材３０４、および緩和部材３１２は、１つのコネクタユニットとなる。
【０１４５】
第１の筐体３０８と第２の筐体３１０とは、電子機器３００の筐体を形成する部材である。
【０１４６】
第１の筐体３０８と第２の筐体３１０とは、上記コネクタユニットを挟むように嵌合する。第１の筐体３０８と第２の筐体３１０とが、上記コネクタユニットを嵌合することによって、コネクタユニットを構成するコネクタ部材１０２の挿抜方向（図４に示す左右方向）、および当該挿抜方向に対する垂直方向（図４に示す上下方向）に対する、コネクタ部材１０２の抜けを防止することができる。
【０１４７】
つまり、電子機器３００では、コネクタ部材１０２、リング形状部材３０４、および緩和部材３１２から構成されるコネクタユニットと、第１の筐体３０８と、第２の筐体３１０とが、“コネクタ部材１０２の脱落を防止する脱落防止機構として機能し、コネクタ部材１０２を支持する支持機構”に、該当する。
【０１４８】
上記のような、脱落防止機構として機能する支持機構を備えることによって、“コネクタ部材１０２を、コネクタ部材１０２の挿抜方向（図４に示す左右方向）”、“挿抜方向に対する水平方向（図４に示す奥行方向）”、“挿抜方向に対する垂直方向（図４に示す上下方向）”、および“挿抜方向を軸とする回転方向”それぞれに、可動させることが、できる。よって、電子機器３００では、コネクタ部材２０２にかかる外力を逃がすことができる。
【０１４９】
第３の実施形態に係る電子機器３００は、例えば図４に示す構成を有する。
【０１５０】
ここで、電子機器３００では、フレキシブルな接続部材１０６によって、コネクタ部材１０２とＰＣＢ３０２とが電気的に接続される。
【０１５１】
したがって、第３の実施形態に係る電子機器３００は、電子機器３００の信頼性の向上を図ることができる。
【０１５２】
また、電子機器３００は、脱落防止機構として機能する支持機構を備える。よって、電子機器３００では、コネクタ部材１０２にかかる外力を逃がすことが可能であるので、図１に示す電子機器１０のような、コネクタ部材１２をハンダ１６で基板１４に固定していた構造よりも、外力に対する強度を確保することができる。
【０１５３】
［４−２］第３の実施形態に係るコネクタ
図５は、第３の実施形態に係るコネクタ４００の構成の一例を示す説明図である。コネクタ４００は、例えば、コネクタ部材１０２と、フレキシブルな接続部材１０６と、コネクタ部材４０２と、リング形状部材３０４と、緩和部材３１２とを備える。コネクタ４００において、例えば、コネクタ部材１０２は第１のコネクタ部材に該当し、コネクタ部材４０２は第２のコネクタ部材に該当する。
【０１５４】
図５に示すコネクタ部材１０２、リング形状部材３０４、および緩和部材３１２は、図４に示すコネクタ部材１０２、リング形状部材３０４、および緩和部材３１２と同様に、１つのコネクタユニットを構成する。図５では示していないが、図４に示す電子機器３００と同様に、リング形状部材３０４は、例えば溶接個所３０６においてスポット溶接されることによって、コネクタ部材１０２に固定される。
【０１５５】
フレキシブルな接続部材１０６は、コネクタ部材１０２とコネクタ部材４０２とを電気的に接続する。フレキシブルな接続部材の一端は、コネクタ部材１０２に電気的に接続され、フレキシブルな接続部材の他端は、コネクタ４００に電気的に接続される。
【０１５６】
コネクタ部材４０２は、例えば、ＣＯＢ１０４などの基板、または、基板に電気的に接続されているコネクタ部材と、電気的に接続するためのコネクタ部材である。
【０１５７】
第３の実施形態に係るコネクタ４００は、例えば図５に示す構成を有する。コネクタ４００では、フレキシブルな接続部材１０６によって、コネクタ部材１０２（第１のコネクタ部材）とコネクタ部材４０２（第２のコネクタ部材）とが電気的に接続される。
【０１５８】
したがって、コネクタ４００は、コネクタ４００の信頼性、または、コネクタ４００が用いられる電子機器の信頼性の向上を図ることが、できる。
【０１５９】
なお、第３の実施形態に係るコネクタは、上記に示す例に限られない。
【０１６０】
例えば、第３の実施形態に係るコネクタは、コネクタ部材１０２と、フレキシブルな接続部材１０６と、リング形状部材３０４と、緩和部材３１２とを備える構成であってもよい。コネクタ部材１０２、リング形状部材３０４、および緩和部材３１２は、図４に示すコネクタ部材１０２、リング形状部材３０４、および緩和部材３１２と同様に、１つのコネクタユニットを構成する。
【０１６１】
フレキシブルな接続部材１０６は、コネクタ部材１０２と電子部品とを電気的に接続する。
【０１６２】
コネクタ部材１０２とフレキシブルな接続部材１０６とは、直接的または間接的に接続される。また、フレキシブルな接続部材１０６が電気的に接続される電子部品としては、例えば、第３の実施形態に係るコネクタの外部の基板や、第３の実施形態に係るコネクタの外部のＩＣなどが、挙げられる。
【０１６３】
上記の構成であっても、第３の実施形態に係るコネクタは、第３の実施形態にコネクタの信頼性、または、第３の実施形態にコネクタが用いられる電子機器（上記外部の基板や上記外部のＩＣを有する電子機器）の信頼性の向上を図ることが、できる。
【０１６４】
図６は、第３の実施形態に係るコネクタ４００が用いられる電子機器３５０の構成の一例を示す説明図である。
【０１６５】
電子機器３５０は、例えば、コネクタ部材１０２と、ＰＣＢ３０２と、フレキシブルな接続部材１０６と、コネクタ部材４０２と、リング形状部材３０４と、溶接個所３０６と、第１の筐体３０８と、第２の筐体３１０と、緩和部材３１２と、コネクタ部材３５２と、ハンダ３５４とを備える。
【０１６６】
図６に示すコネクタ部材１０２、フレキシブルな接続部材１０６、コネクタ部材４０２、リング形状部材３０４、および緩和部材３１２は、図５に示すコネクタ４００に該当する。
【０１６７】
また、図６に示す第１の筐体３０８、および第２の筐体３１０の構成と、当該構成要素それぞれと他の構成要素との機械的な接続関係は、図４に示す電子機器３００と同様である。
【０１６８】
コネクタ部材３５２は、コネクタ部材４０２と電気的に接続されるコネクタ部材である。ハンダ３５４は、ＰＣＢ３０２とコネクタ部材３５２とを接合し、ＰＣＢ３０２とコネクタ部材３５２とを電気的に接続する。
【０１６９】
コネクタ４００が用いられる電子機器３５０は、例えば図６に示す構成を有する。
【０１７０】
電子機器３５０では、コネクタ４００を構成するコネクタ部材４０２が、コネクタ部材３５２と電気的に接続されることによって、コネクタ４００を構成するコネクタ部材１０２と、ＰＣＢ３０２とが、電気的に接続される。
【０１７１】
［５］第４の実施形態に係る電子機器、コネクタ
［５−１］第４の実施形態に係る電子機器
図７は、第４の実施形態に係る電子機器５００の構成の一例を示す説明図である。図７は、電子機器２００が、ＵＳＢ規格に対応するリーダ／ライタなどのような、ＵＳＢ規格に対応する任意の電子機器である場合における構成の一例を示している。
【０１７２】
第４の実施形態に係る電子機器は、コネクタ部材を支持する本実施形態に係る支持機構を備える電子機器の第３の例である。より具体的には、第４の実施形態に係る電子機器は、筐体からのコネクタ部材の脱落を防止する脱落防止機構として機能する支持機構を、備える電子機器の他の例である。
【０１７３】
電子機器５００は、例えば、コネクタ部材１０２と、ＰＣＢ３０２と、フレキシブルな接続部材１０６と、リング形状部材３０４と、溶接個所３０６と、第１の筐体３０８と、第２の筐体３１０と、緩和部材３１２と、スペーサ５０２とを備える。リング形状部材３０４、溶接個所３０６、緩和部材３１２、およびスペーサ５０２が、脱落防止機構として機能する支持機構に、該当する。
【０１７４】
図７に示すコネクタ部材１０２、ＰＣＢ３０２、フレキシブルな接続部材１０６、リング形状部材３０４、溶接個所３０６、第１の筐体３０８、第２の筐体３１０、および緩和部材３１２それぞれの構成と、当該構成要素それぞれと他の構成要素との電気的および機械的な接続関係は、図４に示す電子機器３００と同様である。また、図４に示す電子機器３００の構成と図７に示す電子機器５００の構成とを比較すると、電子機器５００が、スペーサ５０２をさらに備えている点が異なる。
【０１７５】
スペーサ５０２は、例えばゴムなど、厚みと硬度との一方または双方を調整することが可能な材料で構成される。
【０１７６】
スペーサ５０２は、コネクタ部材１０２、リング形状部材３０４、および緩和部材３１２で構成されるコネクタユニットに対して、取り換え可能な構成を有する。
【０１７７】
一例を挙げると、スペーサ５０２は円筒形の形状を有し、スペーサ５０２の一部に切れ込みなどが入れられる。上記のように切れ込みが入れられることによって、スペーサ５０２は、コネクタユニットの形成後に、取り付け、および取り外しが可能な構成となる。
【０１７８】
図７に示すようにスペーサ５０２がコネクタユニットに取り付けられる構成によって、コネクタユニットを、様々な電子機器に適用することができるように、共通化することができる。
【０１７９】
また、スペーサ５０２により、厚みと硬度との一方または双方を調整することができる。よって、スペーサ５０２によって、“コネクタ部材１０２の挿抜方向に対する水平方向（図７に示す奥行方向）”、“挿抜方向に対する垂直方向（図７に示す上下方向）”、および“挿抜方向を軸とする回転方向”それぞれに対して適切な圧力がかかるような調整が、可能となる。
【０１８０】
第４の実施形態に係る電子機器５００は、例えば図７に示す構成を有する。
【０１８１】
ここで、電子機器５００は、図４に示す電子機器３００と基本的に同様の構成を有する。
【０１８２】
したがって、第４の実施形態に係る電子機器５００は、図４に示す電子機器３００と同様に、電子機器５００の信頼性の向上を図ることができる。また、第４の実施形態に係る電子機器５００は、図４に示す電子機器３００と同様に、図１に示す電子機器１０のような、コネクタ部材１２をハンダ１６で基板１４に固定していた構造よりも、外力に対する強度を確保することができる。
【０１８３】
さらに、第４の実施形態に係る電子機器５００はスペーサ５０２を備えるので、電子機器５００では、“コネクタ部材１０２の挿抜方向に対する水平方向（図７に示す奥行方向）”、“挿抜方向に対する垂直方向（図７に示す上下方向）”、および“挿抜方向を軸とする回転方向”それぞれに対して適切な圧力がかかるような調整が、可能となる。
【０１８４】
［５−２］第４の実施形態に係るコネクタ
図８は、第４の実施形態に係るコネクタ６００の構成の一例を示す説明図である。コネクタ６００は、例えば、コネクタ部材１０２と、フレキシブルな接続部材１０６と、コネクタ部材４０２と、リング形状部材３０４と、緩和部材３１２と、スペーサ５０２とを備える。コネクタ６００において、例えば、コネクタ部材１０２は第１のコネクタ部材に該当し、コネクタ部材４０２は第２のコネクタ部材に該当する。
【０１８５】
図８に示すコネクタ部材１０２、フレキシブルな接続部材１０６、コネクタ部材４０２、リング形状部材３０４、および緩和部材３１２それぞれの構成と、当該構成要素それぞれと他の構成要素との電気的および機械的な接続関係は、図５に示すコネクタ４００と同様である。また、図８に示すコネクタ６００の構成と図５に示すコネクタ４００の構成とを比較すると、コネクタ６００が、スペーサ５０２をさらに備えている点が異なる。
【０１８６】
また、スペーサ５０２は、図７に示す電子機器５００が備えるスペーサ５０２と同様に、厚みと硬度との一方または双方を調整することが可能な材料で構成され、コネクタユニットに対して取り換え可能な構成を有する。
【０１８７】
第４の実施形態に係るコネクタ６００は、例えば図８に示す構成を有する。コネクタ６００では、図５に示すコネクタ４００と同様に、フレキシブルな接続部材１０６によって、コネクタ部材１０２（第１のコネクタ部材）とコネクタ部材４０２（第２のコネクタ部材）とが電気的に接続される。
【０１８８】
したがって、コネクタ６００は、図５に示すコネクタ４００と同様に、コネクタ６００の信頼性、または、コネクタ６００が用いられる電子機器の信頼性の向上を図ることが、できる。
【０１８９】
また、コネクタ６００は、図７に示す電子機器５００と同様に、スペーサ５０２を備える。よって、コネクタ６００では、図７に示す電子機器５００と同様に、“コネクタ部材１０２の挿抜方向に対する水平方向（図８に示す奥行方向）”、“挿抜方向に対する垂直方向（図８に示す奥行方向）”、および“挿抜方向を軸とする回転方向”それぞれに対して適切な圧力がかかるような調整が、可能となる。
【０１９０】
なお、第４の実施形態に係るコネクタは、上記に示す例に限られない。
【０１９１】
例えば、第４の実施形態に係るコネクタは、コネクタ部材１０２と、フレキシブルな接続部材１０６と、リング形状部材３０４と、緩和部材３１２と、スペーサ５０２とを備える構成であってもよい。コネクタ部材１０２、フレキシブルな接続部材１０６、リング形状部材３０４、緩和部材３１２、およびスペーサ５０２それぞれの構成と、当該構成要素それぞれと他の構成要素との電気的および機械的な接続関係は、例えば図８に示すコネクタ６００と同様である。
【０１９２】
フレキシブルな接続部材１０６は、コネクタ部材１０２と電子部品とを電気的に接続する。
【０１９３】
コネクタ部材１０２とフレキシブルな接続部材１０６とは、直接的または間接的に接続される。また、フレキシブルな接続部材１０６が電気的に接続される電子部品としては、例えば、第４の実施形態に係るコネクタの外部の基板や、第４の実施形態に係るコネクタの外部のＩＣなどが、挙げられる。
【０１９４】
上記の構成であっても、第４の実施形態に係るコネクタは、第４の実施形態にコネクタの信頼性、または、第４の実施形態にコネクタが用いられる電子機器（上記外部の基板や上記外部のＩＣを有する電子機器）の信頼性の向上を図ることが、できる。
【０１９５】
また、上記の構成であっても、第４の実施形態に係るコネクタでは、図８に示すコネクタ６００と同様の効果が奏される。
【０１９６】
図９は、第４の実施形態に係るコネクタ６００が用いられる電子機器５５０の構成の一例を示す説明図である。
【０１９７】
電子機器５５０は、例えば、コネクタ部材１０２と、ＰＣＢ３０２と、フレキシブルな接続部材１０６と、コネクタ部材４０２と、リング形状部材３０４と、溶接個所３０６と、第１の筐体３０８と、第２の筐体３１０と、緩和部材３１２と、スペーサ５０２と、コネクタ部材３５２と、ハンダ３５４とを備える。
【０１９８】
図９に示すコネクタ部材１０２、フレキシブルな接続部材１０６、コネクタ部材４０２、リング形状部材３０４、緩和部材３１２、およびスペーサ５０２は、図８に示すコネクタ６００に該当する。
【０１９９】
また、図９に示す第１の筐体３０８、および第２の筐体３１０の構成と、当該構成要素それぞれと他の構成要素との機械的な接続関係は、図７に示す電子機器５００と同様である。
【０２００】
また、図９に示すコネクタ部材３５２、およびハンダ３５４の構成と、当該構成要素それぞれと他の構成要素との電気的な接続関係は、図６に示す電子機器３５０と同様である。
【０２０１】
コネクタ６００が用いられる電子機器５５０は、例えば図９に示す構成を有する。
【０２０２】
電子機器５５０では、コネクタ６００を構成するコネクタ部材４０２が、コネクタ部材３５２と電気的に接続されることによって、コネクタ６００を構成するコネクタ部材１０２と、ＰＣＢ３０２とが、電気的に接続される。
【０２０３】
［６］本実施形態に係る電子機器、本実施形態に係るコネクタにおいて奏される効果の一例
本実施形態に係る電子機器、本実施形態に係るコネクタでは、例えば下記に示す効果が奏される。なお、本実施形態に係る電子機器、本実施形態に係るコネクタにおいて奏される効果が、下記に示す効果に限られないことは、言うまでもない。
・コネクタの端子（コネクタ部材）を基板（ＣＯＢまたはＰＣＢ）にハンダで固定させないことによって、既存の電子機器１０よりもコネクタのこじり強度、および剥離強度を上げることができ、外力に対するコネクタの信頼性を確保することができる。
・コネクタの先端（コネクタ部材の先端）を自在に可動させる支持機構を備える場合、当該支持機構により、コネクタに接続されている外部機器の着脱時にコネクタにかかる外力を逃がすことができ、コネクタの着脱信頼性が上がる。
・コネクタを有する電子機器が当該コネクタによりホスト機器などの外部機器に装着させたまま使用される使用状態で、当該コネクタに外力が掛かった場合においても、当該電子機器が有するコネクタ、および当該外部機器が有するコネクタそれぞれへのダメージを緩和させることができる。よって、上記使用状態におけるホスト機器などの上記外部機器の信頼性を向上させる効果、および、上記使用状態における上記電子機器および上記外部機器の使い勝手を向上させる効果が、期待される。
【０２０４】
［７］本実施形態に係る電子機器、コネクタの適用例
以上、本実施形態として、電子機器を挙げて説明したが、本実施形態は、かかる形態に限られない。本実施形態は、例えば、“ＵＳＢメモリなどの記憶装置”、“リーダ／ライタや、スマートホンなどの通信装置”、“ＰＣ（Personal  Computer）やサーバなどのコンピュータ”、“タブレット型の装置”、“ゲーム機”、“デジタルスチルカメラやデジタルビデオカメラなどのカメラ”、“自動車や、自動二輪車などの、様々な移動体”、“自動車に設けられる車載器などの、移動体に設けられる機器”、“ヘッドマウントディスプレイや、アイウェア型の装置、時計型の装置、腕輪型の装置などのようなユーザの身体に装着して用いられる様々なウェアラブル装置”など、コネクタを有しうる、様々な電子機器に適用することができる。
【０２０５】
また、本実施形態として、コネクタを挙げて説明したが、本実施形態は、かかる形態に限られない。本実施形態は、上記のような電子機器に適用することが可能なコネクタに適用することができる。
【０２０６】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０２０７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２０８】
なお、以下のような構成も本開示の技術的範囲に属する。
（１）
外部と電気的に接続するコネクタ部材と、
基板と、
前記コネクタ部材と前記基板とを電気的に接続するフレキシブルな接続部材と、
前記基板が収納され、前記コネクタ部材が取り付けられる筐体と、
を備える、電子機器。
（２）
前記基板は、ＣＯＢである、（１）に記載の電子機器。
（３）
前記基板は、ＰＣＢである、（１）に記載の電子機器。
（４）
前記フレキシブルな接続部材は、ＦＰＣである、（１）〜（３）のいずれか１つに記載の電子機器。
（５）
前記フレキシブルな接続部材は、フレキシブルな線材である、（１）〜（３）のいずれか１つに記載の電子機器。
（６）
前記コネクタ部材および前記基板それぞれは、前記フレキシブルな接続部材に直接的に接続される、（１）〜（５）のいずれか１つに記載の電子機器。
（７）
前記コネクタ部材は、前記フレキシブルな接続部材に直接的に接続され、
前記基板は、前記フレキシブルな接続部材に間接的に接続される、（１）〜（５）のいずれか１つに記載の電子機器。
（８）
前記コネクタ部材が前記コネクタ部材の挿抜方向に対して水平方向と垂直方向との一方または双方に動くように、前記コネクタ部材を支持する支持機構をさらに備え、
前記コネクタ部材は、前記支持機構により前記筐体に取り付けられる、（１）〜（７）のいずれか１つに記載の電子機器。
（９）
前記支持機構は、前記筐体からの前記コネクタ部材の脱落を防止する脱落防止機構として機能する、（８）に記載の電子機器。
（１０）
前記支持機構は、
前記コネクタ部材を、前記水平方向または前記垂直方向に回動させる機構と、
前記筐体と前記コネクタ部材との間に配置され、前記コネクタ部材にかかる外力を緩和する緩和部材と、
を含む、（８）に記載の電子機器。
（１１）
前記コネクタ部材は、オス型コネクタである、（１）〜（１０）のいずれか１つに記載の電子機器。
（１２）
前記コネクタ部材は、メス型コネクタである、（１）〜（１０）のいずれか１つに記載の電子機器。
（１３）
外部と電気的に接続する第１のコネクタ部材と、
外部と電気的に接続する第２のコネクタ部材と、
前記第１のコネクタ部材と前記第２のコネクタ部材とを電気的に接続するフレキシブルな接続部材と、
を備える、コネクタ。
（１４）
外部と電気的に接続するコネクタ部材と、
前記コネクタ部材と電子部品とを電気的に接続するフレキシブルな接続部材と、
を備える、コネクタ。
【符号の説明】
【０２０９】
１０、１００、２００、３００、３５０、５００、５５０    電子機器
１２、１０２、２０２、３５２    コネクタ部材
１４    基板
１６、２６、１１８、３５４    ハンダ
１８、１０８、２０４    支持部材
２０、１１０    筐体
２２、１１２    接着剤
２４、１１６    Ｕ３コネクタ
１０４    ＣＯＢ
１０６    フレキシブルな接続部材
１１４、３０６    溶接個所
２０６    ピン
３０２    ＰＣＢ
３０４    リング形状部材
３０８    第１の筐体
３１０    第２の筐体
３１２    緩和部材
４００、６００    コネクタ
４０２    コネクタ部材
５０２    スペーサ
【図１】
2018116563.tif 000003
【図２】
2018116563.tif 000004
【図３】
2018116563.tif 000005
【図４】
2018116563.tif 000006
【図５】
2018116563.tif 000007
【図６】
2018116563.tif 000008
【図７】
2018116563.tif 000009
【図８】
2018116563.tif 000010
【図９】
2018116563.tif 000011
【国際調査報告】
2018116563.tif 000012
2018116563.tif 000013
2018116563.tif 000014
2018116563.tif 000015